(57)【要約】【課題】信号光の高精度な受信性能を実現することができるようにする。【解決手段】デジタル信号処理部５により抽出されたデータ信号の信号品質として、そのデータ信号のビット誤り率ＢＥＲを測定するＢＥＲモニタ部６を設け、局発光／送信光制御部８が、全体制御部７の指示の下、ＢＥＲモニタ部６により測定される信号品質が高まるように、局発光源３により発振される局発光の波長及びパワーを調整するように構成する。これにより、信号光の高精度な受信性能を実現することができる。【選択図】図１
2015170916.tif 000002
【特許請求の範囲】
【請求項１】
局発光を発振する局発光源と、
データ信号によって変調されている信号光を受信し、前記信号光と前記局発光源により発振された局発光を干渉させて前記信号光を復調するコヒーレント受信手段と、
前記コヒーレント受信手段により復調された信号光から前記データ信号を抽出するデータ信号抽出手段と、
前記データ信号抽出手段により抽出されたデータ信号の信号品質を測定する品質測定手段と、
前記品質測定手段により測定される信号品質が高まるように、前記局発光源により発振される局発光の波長及びパワーを調整する局発光調整手段と
を備えた光伝送装置。
【請求項２】
送信光を発振する送信光源と、
前記送信光源により発振された送信光をデータ信号によって変調し、変調後の送信光である信号光を対向側の光伝送装置に送信する光変調手段と、
前記品質測定手段により測定された信号品質を示す信号品質情報をデータ信号として前記光変調手段に出力することで、前記信号品質情報を前記対向側の光伝送装置に送信させる一方、前記データ信号抽出手段により抽出されたデータ信号から、前記対向側の光伝送装置から送信された信号品質情報を取り出す信号品質情報送受信手段と、
前記信号品質情報送受信手段により取り出される信号品質情報が示す信号品質が高まるように、前記送信光源により発振される送信光の波長を調整する送信光調整手段と
を備えたことを特徴とする請求項１記載の光伝送装置。
【請求項３】
送信光を発振する送信光源と、
前記送信光源により発振された送信光をデータ信号によって変調し、変調後の送信光である信号光を対向側の光伝送装置に送信する光変調手段と、
局発光を発振する局発光源と、
前記対向側の光伝送装置から送信された信号光を受信し、前記信号光と前記局発光源により発振された局発光を干渉させて前記信号光を復調するコヒーレント受信手段と、
前記コヒーレント受信手段により復調された信号光から前記データ信号を抽出するデータ信号抽出手段と、
前記データ信号抽出手段により抽出されたデータ信号の信号品質を測定する品質測定手段と、
前記品質測定手段により測定された信号品質を示す信号品質情報をデータ信号として前記光変調手段に出力することで、前記信号品質情報を前記対向側の光伝送装置に送信させる一方、前記データ信号抽出手段により抽出されたデータ信号から、前記対向側の光伝送装置から送信された信号品質情報を取り出す信号品質情報送受信手段と、
前記信号品質情報送受信手段により取り出される信号品質情報が示す信号品質が高まるように、前記送信光源により発振される送信光の波長を調整する送信光調整手段と
を備えた光伝送装置。
【請求項４】
前記品質測定手段は、前記データ信号抽出手段により抽出されたデータ信号の信号品質として、前記データ信号の符号誤り率又は符号誤り数を測定することを特徴とする請求項１から請求項３のうちのいずれか１項記載の光伝送装置。
【請求項５】
前記局発光調整手段による局発光の波長及びパワーの調整処理を常時有効にするか、外部から手動調整指示を受けたときにだけ有効にするかを設定する局発光調整処理設定手段を備えたことを特徴とする請求項１または請求項２記載の光伝送装置。
【請求項６】
前記送信光調整手段による送信光の波長の調整処理を常時有効にするか、外部から手動調整指示を受けたときにだけ有効にするかを設定する送信光調整処理設定手段を備えたことを特徴とする請求項２または請求項３記載の光伝送装置。
【請求項７】
前記光変調手段から送信された信号光を前記対向側の光伝送装置に出力する一方、前記対向側の光伝送装置から送信された信号光を前記コヒーレント受信手段に出力する波長分岐挿入多重手段を備えており、
前記対向側の光伝送装置における局発光の波長及びパワーの調整処理が常時有効である場合、
前記波長分岐挿入多重手段は、前記送信光調整手段が前記送信光源の波長を変化させる際、前記光変調手段から前記対向側の光伝送装置に出力する信号光に対するフィルタ波長及び前記対向側の光伝送装置から前記コヒーレント受信手段に出力する信号光に対するフィルタ波長を変化させることを特徴とする請求項２または請求項３記載の光伝送装置。
【請求項８】
局発光源が、局発光を発振する局発光発振処理ステップと、
コヒーレント受信手段が、データ信号によって変調されている信号光を受信し、前記信号光と前記局発光発振処理ステップで発振された局発光を干渉させて前記信号光を復調するコヒーレント受信処理ステップと、
データ信号抽出手段が、前記コヒーレント受信処理ステップで復調された信号光から前記データ信号を抽出するデータ信号抽出処理ステップと、
品質測定手段が、前記データ信号抽出処理ステップで抽出されたデータ信号の信号品質を測定する品質測定処理ステップと、
局発光調整手段が、前記品質測定処理ステップで測定される信号品質が高まるように、前記局発光発振処理ステップで発振される局発光の波長及びパワーを調整する局発光調整処理ステップと
を備えた光伝送制御方法。
【請求項９】
送信光源が、送信光を発振する送信光発振処理ステップと、
光変調手段が、前記送信光発振処理ステップで発振された送信光をデータ信号によって変調し、変調後の送信光である信号光を対向側の光伝送装置に送信する光変調処理ステップと、
局発光源が、局発光を発振する局発光発振処理ステップと、
コヒーレント受信手段が、前記対向側の光伝送装置から送信された信号光を受信し、前記信号光と前記局発光発振処理ステップで発振された局発光を干渉させて前記信号光を復調するコヒーレント受信処理ステップと、
データ信号抽出手段が、前記コヒーレント受信処理ステップで復調された信号光から前記データ信号を抽出するデータ信号抽出処理ステップと、
品質測定手段が、前記データ信号抽出処理ステップで抽出されたデータ信号の信号品質を測定する品質測定処理ステップと、
信号品質情報送受信手段が、前記品質測定処理ステップで測定された信号品質を示す信号品質情報をデータ信号として前記光変調手段に出力することで、前記信号品質情報を前記対向側の光伝送装置に送信させる一方、前記データ信号抽出処理ステップで抽出されたデータ信号から、前記対向側の光伝送装置から送信された信号品質情報を取り出す信号品質情報送受信処理ステップと、
送信光調整手段が、前記信号品質情報送受信処理ステップで取り出される信号品質情報が示す信号品質が高まるように、前記送信光発振処理ステップで発振される送信光の波長を調整する送信光調整処理ステップと
を備えた光伝送制御方法。
【発明の詳細な説明】
【技術分野】
【０００１】
この発明は、信号光の伝送性能を高めて、通信ネットワークの大容量化を実現する光伝送装置及び光伝送制御方法に関するものである。
【背景技術】
【０００２】
例えば、インターネット、携帯電話やスマートフォンなどの普及に伴って、通信ネットワークは社会インフラとしての重要性を高めている。
また、通信ネットワークは、大容量化が加速度的に進んでいるため、伝送装置の大容量伝送化や伝送品質の向上が重要な課題になっている。
伝送装置の大容量伝送化を実現する方法の１つとして、光コヒーレント伝送方式を適用することが考えられる。
【０００３】
光コヒーレント伝送方式は、４０Ｇｂ／ｓ（Ｇｉｇａ  ｂｉｔ  ｐｅｒ  ｓｅｃｏｎｄ）以上の大容量伝送を実現する技術であり、対向側の光伝送装置から送信された信号光を受信すると、その信号光と、自己の受信回路に搭載されている局発光源から発振された局発光とを干渉させることで、その信号光を復調して、その信号光からデータ信号を抽出する方式である。
光コヒーレント伝送方式では、受信した信号光の波長と、局発光の波長との関係が、受信性能に大きく影響する。
即ち、受信した信号光の波長と、局発光の波長との差が一定範囲内であれば、その信号光を復調することができるが、受信した信号光の波長と、局発光の波長との差が一定範囲を超えてしまうと、その信号光を復調することが困難になる。
ただし、受信した信号光の波長と、局発光の波長との差が一定範囲内であっても、復調後の信号光から抽出するデータ信号の信号品質を高めるには（例えば、データ信号における符号誤り率の低下）、局発光の波長が信号光の波長と一致するように制御することが望ましい。
【０００４】
以下の特許文献１には、複数の波長チャネルを波長多重して伝送する光伝送装置が開示されている。
この光伝送装置では、対向側の光伝送装置から送信された信号光を受信すると、その信号光の送信に用いられている波長チャネルを特定し、予め用意されている複数の局発光（相互に波長が異なる局発光）の中から、その信号光の送信に用いられている波長チャネルに対応する波長の局発光を選択するようにしている。
これにより、局発光の波長と信号光の波長が概ね一致するものと考えられるが、光伝送装置の周囲環境の変化や、送信側と受信側の光伝送装置における局発光源等の特性の差異などの影響で、局発光の波長と信号光の波長が完全に一致することは保証されない。
【先行技術文献】
【特許文献】
【０００５】
【特許文献１】特開２０１０−１０９８４７号公報（図１、図３）
【発明の概要】
【発明が解決しようとする課題】
【０００６】
従来の光伝送装置は以上のように構成されているので、局発光の波長と信号光の波長が概ね一致しても、完全に一致するとは限らない。このため、信号光の受信性能を十分に高めることができないことがある課題があった。
【０００７】
この発明は上記のような課題を解決するためになされたもので、信号光の高精度な受信性能を実現することができる光伝送装置及び光伝送制御方法を得ることを目的とする。
【課題を解決するための手段】
【０００８】
この発明に係る光伝送装置は、局発光を発振する局発光源と、データ信号によって変調されている信号光を受信し、その信号光と局発光源により発振された局発光を干渉させて前記信号光を復調するコヒーレント受信手段と、コヒーレント受信手段により復調された信号光からデータ信号を抽出するデータ信号抽出手段と、データ信号抽出手段により抽出されたデータ信号の信号品質を測定する品質測定手段とを設け、局発光調整手段が、品質測定手段により測定される信号品質が高まるように、局発光源により発振される局発光の波長及びパワーを調整するようにしたものである。
【発明の効果】
【０００９】
この発明によれば、局発光調整手段が、品質測定手段により測定される信号品質が高まるように、局発光源により発振される局発光の波長及びパワーを調整するように構成したので、信号光の高精度な受信性能を実現することができる効果がある。
【図面の簡単な説明】
【００１０】
【図１】この発明の実施の形態１による光伝送装置を示す構成図である。
【図２Ａ】この発明の実施の形態１による光伝送装置の全体制御部７及び局発光／送信光制御部８の処理内容（光伝送制御方法）を示すフローチャートである。
【図２Ｂ】この発明の実施の形態１による光伝送装置の全体制御部７及び局発光／送信光制御部８の処理内容（光伝送制御方法）を示すフローチャートである。
【図３】この発明の実施の形態２による光伝送装置を示す構成図である。
【図４】この発明の実施の形態２による光伝送装置の全体制御部１３及び局発光／送信光制御部１４の処理内容（光伝送制御方法）を示すフローチャートである。
【図５】この発明の実施の形態３による光伝送装置を示す構成図である。
【図６】この発明の実施の形態３による光伝送装置の全体制御部１３及び光波長制御部３１の処理内容（光伝送制御方法）を示すフローチャートである。
【発明を実施するための形態】
【００１１】
実施の形態１．
図１はこの発明の実施の形態１による光伝送装置を示す構成図である。
図１において、送信光源１は送信光を発振する光源である。
変調部２はデジタル信号処理部５からデータ信号（送信データ信号）を受けると、送信光源１により発振された送信光を当該データ信号によって変調し、変調後の送信光である信号光（送信信号光）を対向側の光伝送装置（図示せず）に送信する変調器である。なお、変調部２は光変調手段を構成している。
【００１２】
局発光源３は局発光を発振する光源である。
コヒーレント受信部４は対向側の光伝送装置から送信された信号光（データ信号によって変調されている信号光（受信信号光））を受信し、その信号光と局発光源３により発振された局発光を干渉させることで当該信号光を復調し、復調後の信号光を電気信号に変換する受信機である。なお、コヒーレント受信部４はコヒーレント受信手段を構成している。
【００１３】
デジタル信号処理部５は例えばＣＰＵを実装している半導体集積回路、あるいは、ワンチップマイコンなどから構成されており、コヒーレント受信部４により変換された電気信号に対する分散補償処理や誤り訂正処理などのデジタル信号処理を実施することで、その電気信号からデータ信号（受信データ信号）を抽出する一方、入力されたデータ信号（送信データ信号）を光信号に変換して変調部２に出力する処理を実施する。なお、デジタル信号処理部５はデータ信号抽出手段を構成している。
【００１４】
ＢＥＲモニタ部６は例えばＣＰＵを実装している半導体集積回路、あるいは、ワンチップマイコンなどから構成されており、デジタル信号処理部５により抽出されたデータ信号の信号品質として、そのデータ信号のビット誤り率（ＢＥＲ：Ｂｉｔ  Ｅｒｒｏｒ  Ｒａｔｅ）を測定する処理を実施する。なお、ＢＥＲモニタ部６は品質測定手段を構成している。
この実施の形態１では、ＢＥＲモニタ部６がデータ信号の信号品質として、そのデータ信号の符号誤り率であるビット誤り率を測定するものを示すが、データ信号の信号品質として、そのデータ信号の符号誤り数であるビット誤り数を測定するようにしてもよい。
【００１５】
全体制御部７は例えばＣＰＵを実装している半導体集積回路、あるいは、ワンチップマイコンなどから構成されており、ＢＥＲモニタ部６により測定されたビット誤り率ＢＥＲに基づいて局発光／送信光制御部８を制御する処理を実施する。
また、全体制御部７は局発光／送信光制御部８による局発光の波長及びパワーの調整処理を常時有効にするか、外部から手動調整指示を受けたときにだけ有効にするかを設定する処理を実施する。なお、全体制御部７は局発光調整処理設定手段を構成している。
局発光／送信光制御部８は例えばＣＰＵを実装している半導体集積回路、あるいは、ワンチップマイコンなどから構成されており、全体制御部７の制御の下、送信光源１により発振される送信光の波長を設定するとともに、ＢＥＲモニタ部６により測定されたビット誤り率が減少（信号品質が向上）するように、局発光源３により発振される局発光の波長及びパワーを調整する処理を実施する。なお、全体制御部７及び局発光／送信光制御部８から局発光調整手段が構成されている。
【００１６】
図１の例では、光伝送装置の構成要素である送信光源１、変調部２、局発光源３、コヒーレント受信部４、デジタル信号処理部５、ＢＥＲモニタ部６、全体制御部７及び局発光／送信光制御部８のそれぞれが専用のハードウェアで構成されているものを想定しているが、光伝送装置の全部又は一部がコンピュータで構成されていてもよい。
例えば、光伝送装置の一部（例えば、デジタル信号処理部５、ＢＥＲモニタ部６、全体制御部７及び局発光／送信光制御部８）をコンピュータで構成する場合、デジタル信号処理部５、ＢＥＲモニタ部６、全体制御部７及び局発光／送信光制御部８の処理内容を記述しているプログラムをコンピュータのメモリに格納し、当該コンピュータのＣＰＵが当該メモリに格納されているプログラムを実行するようにすればよい。
図２Ａ及び図２Ｂはこの発明の実施の形態１による光伝送装置の全体制御部７及び局発光／送信光制御部８の処理内容（光伝送制御方法）を示すフローチャートである。
【００１７】
次に動作について説明する。
図１には対向側の光伝送装置の構成を開示していないが、対向側の光伝送装置も、図１の光伝送装置と同様の構成であるものとする。
以下、説明の便宜上、図１の光伝送装置を「光伝送装置Ａ」、対向側の光伝送装置を「光伝送装置Ｂ」とする。
この実施の形態１では、光伝送装置Ａの局発光源３により発振される局発光の波長及びパワーの調整について説明する。
【００１８】
まず、光伝送装置Ａの全体制御部７は、予め用意されている複数の波長の中から、送信光の波長を選択し、その選択した波長を送信光源１に設定する指示を局発光／送信光制御部８に出力する。
光伝送装置Ａの局発光／送信光制御部８は、全体制御部７の指示の下、送信光源１により発振される送信光の波長を設定する。
また、光伝送装置Ａの全体制御部７は、予め用意されている複数の波長の中から、対向側の光伝送装置Ｂで設定される送信光の波長と同じ波長を選択し、その選択した波長を局発光源３に設定する指示を局発光／送信光制御部８に出力する。
局発光／送信光制御部８は、全体制御部７の指示の下、局発光源３により発振される局発光の波長を設定する。
また、局発光／送信光制御部８は、全体制御部７の指示の下、局発光源３により発振される局発光のパワーを設定する。例えば、予め指定されている基準のパワーに設定する。
【００１９】
対向側の光伝送装置Ｂにおいても、光伝送装置Ａと同様に、送信光の波長、局発光の波長及びパワーが設定される。
これにより、光伝送装置Ａの局発光源３により発振される局発光の波長と、対向側の光伝送装置Ｂの送信光源１により発振される送信光の波長が完全に一致することもあるが、光伝送装置Ａと光伝送装置Ｂの周囲環境の違いや、光伝送装置Ａの局発光源３と光伝送装置Ｂの送信光源１の特性の差異などの影響で、光伝送装置Ａの局発光源３により発振される局発光の波長と、対向側の光伝送装置Ｂの送信光源１により発振される送信光の波長が完全に一致することは保証されない。
【００２０】
対向側の光伝送装置Ｂの変調部２は、デジタル信号処理部５からデータ信号を受けると、送信光源１により発振された送信光を当該データ信号によって変調し、変調後の送信光である信号光を光伝送装置Ａに送信する。
光伝送装置Ａのコヒーレント受信部４は、対向側の光伝送装置Ｂから送信された信号光を受信すると、その信号光と局発光源３により発振された局発光（局発光／送信光制御部８により設定された波長の局発光）を干渉させることで当該信号光を復調し、復調後の信号光を電気信号に変換してデジタル信号処理部５に出力する。
【００２１】
光伝送装置Ａのデジタル信号処理部５は、コヒーレント受信部４により変換された電気信号を受けると、その電気信号に対する分散補償処理や誤り訂正処理などのデジタル信号処理を実施することで、その電気信号からデータ信号（光伝送装置Ｂのデジタル信号処理部５から出力されたデータ信号）を抽出する。
光伝送装置ＡのＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（１）として保持する（ステップＳＴ１）。
【００２２】
光伝送装置Ａの全体制御部７は、適正な局発光の波長を探索するために、局発光の波長を短波側に微変更する指示を局発光／送信光制御部８に出力する。この波長の微変更は、予め用意されている複数の波長間の間隔より小さな変更を意味する。
局発光／送信光制御部８は、全体制御部７の指示の下、局発光源３により発振される局発光の波長を短波側に微変更する（ステップＳＴ２）。
光伝送装置Ａのコヒーレント受信部４は、局発光／送信光制御部８が局発光の波長を短波側に微変更すると、対向側の光伝送装置Ｂから送信された信号光と、局発光源３により発振された波長微変更後の局発光とを干渉させることで当該信号光を復調し、復調後の信号光を電気信号に変換してデジタル信号処理部５に出力する。
【００２３】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（２）として保持する（ステップＳＴ３）。
【００２４】
光伝送装置Ａの全体制御部７は、保持しているモニタ値（１）とモニタ値（２）を比較することで、局発光の波長を短波側に微変更することに伴って信号品質が劣化しているか否かを確認する（ステップＳＴ４）。
全体制御部７は、信号品質が劣化していなければ、ステップＳＴ２の処理に戻り、局発光の波長を更に短波側に微変更する指示を局発光／送信光制御部８に出力する。このとき、全体制御部７は、そのモニタ値（２）をモニタ値（１）として保持する。
光伝送装置Ａのコヒーレント受信部４は、局発光／送信光制御部８が局発光の波長を更に短波側に微変更すると、対向側の光伝送装置Ｂから送信された信号光と、局発光源３により発振された波長微変更後の局発光とを干渉させることで当該信号光を復調し、復調後の信号光を電気信号に変換してデジタル信号処理部５に出力する。
【００２５】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（２）として保持する（ステップＳＴ３）。
【００２６】
光伝送装置Ａの全体制御部７は、保持しているモニタ値（１）とモニタ値（２）を比較することで、局発光の波長を更に短波側に微変更することに伴って信号品質が劣化しているか否かを確認する（ステップＳＴ４）。
全体制御部７は、信号品質が劣化していなければ、ステップＳＴ２の処理に戻り、局発光の波長を更に短波側に微変更する指示を局発光／送信光制御部８に出力する。
したがって、波長の微変更に伴って信号品質が劣化するまで、ステップＳＴ２〜ＳＴ４の処理が繰り返し実施される。
全体制御部７は、信号品質が劣化すると、局発光の波長を短波側に微変更する前の波長のときに、ＢＥＲモニタ部６により測定されたビット誤り率ＢＥＲ（ステップＳＴ１で測定されたビット誤り率ＢＥＲ）をモニタ値（１）として保持するとともに、短波長側への微変更に伴って信号品質が劣化したときのモニタ値（２）を保持する。
【００２７】
光伝送装置Ａの全体制御部７は、信号品質が劣化すると、ステップＳＴ１でビット誤り率ＢＥＲが測定されたときの局発光の波長を基準にして、局発光の波長を長波側に微変更する指示を局発光／送信光制御部８に出力する。この波長の微変更は、予め用意されている複数の波長間の間隔より小さな変更を意味する。
この実施の形態１では、局発光の波長を長波側に微変更する場合の変更幅と、局発光の波長を短波側に微変更する場合の変更幅とが同一であることを想定している。
局発光／送信光制御部８は、全体制御部７の指示の下、局発光源３により発振される局発光の波長を長波側に微変更する（ステップＳＴ５）。
光伝送装置Ａのコヒーレント受信部４は、局発光／送信光制御部８が局発光の波長を長波側に微変更すると、対向側の光伝送装置Ｂから送信された信号光と、局発光源３により発振された波長微変更後の局発光とを干渉させることで当該信号光を復調し、復調後の信号光を電気信号に変換してデジタル信号処理部５に出力する。
【００２８】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（３）として保持する（ステップＳＴ６）。
【００２９】
光伝送装置Ａの全体制御部７は、保持しているモニタ値（１）とモニタ値（３）を比較することで、局発光の波長を長波側に微変更することに伴って信号品質が劣化しているか否かを確認する（ステップＳＴ７）。
全体制御部７は、信号品質が劣化していなければ、ステップＳＴ５の処理に戻り、局発光の波長を更に長波側に微変更する指示を局発光／送信光制御部８に出力する。このとき、全体制御部７は、そのモニタ値（３）をモニタ値（１）として保持する。
光伝送装置Ａのコヒーレント受信部４は、局発光／送信光制御部８が局発光の波長を更に長波側に微変更すると、対向側の光伝送装置Ｂから送信された信号光と、局発光源３により発振された波長微変更後の局発光とを干渉させることで当該信号光を復調し、復調後の信号光を電気信号に変換してデジタル信号処理部５に出力する。
【００３０】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（３）として保持する（ステップＳＴ６）。
【００３１】
光伝送装置Ａの全体制御部７は、保持しているモニタ値（１）とモニタ値（３）を比較することで、局発光の波長を更に長波側に微変更することに伴って信号品質が劣化しているか否かを確認する（ステップＳＴ７）。
全体制御部７は、信号品質が劣化していなければ、ステップＳＴ５の処理に戻り、局発光の波長を更に長波側に微変更する指示を局発光／送信光制御部８に出力する。
したがって、波長の微変更に伴って信号品質が劣化するまで、ステップＳＴ５〜ＳＴ７の処理が繰り返し実施される。
【００３２】
光伝送装置Ａの全体制御部７は、信号品質が劣化すると、短波長側への微変更に伴って信号品質が劣化したときのモニタ値であるモニタ値（２）が測定されたときの波長（以下、「波長Ａ」と称する）と、長波長側への微変更に伴って信号品質が劣化したときのモニタ値であるモニタ値（３）が測定されたときの波長（以下、「波長Ｂ」と称する）とを用いて、適正な局発光の波長Ｃに決定する。
例えば、下記の式（１）によって、適正な局発光の波長Ｃを計算するが、式（１）の計算結果が小数点を含む場合には小数点以下を切り捨てるようにする。あるいは小数点以下を四捨五入するようにする。
Ｃ＝（Ａ＋Ｂ）／２                   （１）
光伝送装置Ａの局発光／送信光制御部８は、全体制御部７により決定された波長Ｃを局発光源３により発振される局発光の波長に設定する（ステップＳＴ８）。
【００３３】
光伝送装置Ａのコヒーレント受信部４は、局発光／送信光制御部８が局発光の波長を設定すると、対向側の光伝送装置Ｂから送信された信号光と、局発光源３により発振された局発光とを干渉させることで当該信号光を復調し、復調後の信号光を電気信号に変換してデジタル信号処理部５に出力する。
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（４）として保持する（ステップＳＴ９）。
【００３４】
光伝送装置Ａの全体制御部７は、適正な局発光のパワーを探索するために、局発光のパワーを所定値だけ下げる指示を局発光／送信光制御部８に出力する。
局発光／送信光制御部８は、全体制御部７の指示の下、局発光源３により発振される局発光のパワーを所定値だけ下げる変更を行う（ステップＳＴ１０）。
光伝送装置Ａのコヒーレント受信部４は、局発光／送信光制御部８が局発光のパワーを下げる変更を行うと、対向側の光伝送装置Ｂから送信された信号光と、局発光源３により発振されたパワー変更後の局発光とを干渉させることで当該信号光を復調し、復調後の信号光を電気信号に変換してデジタル信号処理部５に出力する。
【００３５】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（５）として保持する（ステップＳＴ１１）。
【００３６】
光伝送装置Ａの全体制御部７は、保持しているモニタ値（４）とモニタ値（５）を比較することで、局発光のパワーを下げることに伴って信号品質が劣化しているか否かを確認する（ステップＳＴ１２）。
全体制御部７は、信号品質が劣化していなければ、ステップＳＴ１０の処理に戻り、局発光のパワーを更に下げる指示を局発光／送信光制御部８に出力する。このとき、全体制御部７は、そのモニタ値（５）をモニタ値（４）として保持する。
光伝送装置Ａのコヒーレント受信部４は、局発光／送信光制御部８が局発光のパワーを更に下げる変更を行うと、対向側の光伝送装置Ｂから送信された信号光と、局発光源３により発振されたパワー変更後の局発光とを干渉させることで当該信号光を復調し、復調後の信号光を電気信号に変換してデジタル信号処理部５に出力する。
【００３７】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（５）として保持する（ステップＳＴ１１）。
【００３８】
光伝送装置Ａの全体制御部７は、保持しているモニタ値（４）とモニタ値（５）を比較することで、局発光のパワーを更に下げることに伴って信号品質が劣化しているか否かを確認する（ステップＳＴ１２）。
全体制御部７は、信号品質が劣化していなければ、ステップＳＴ１０の処理に戻り、局発光のパワーを更に下げる指示を局発光／送信光制御部８に出力する。
したがって、局発光のパワーの下げに伴って信号品質が劣化するまで、ステップＳＴ１０〜ＳＴ１２の処理が繰り返し実施される。
全体制御部７は、信号品質が劣化すると、局発光のパワーを変更する前のときに、ＢＥＲモニタ部６により測定されたビット誤り率ＢＥＲ（ステップＳＴ９で測定されたビット誤り率ＢＥＲ）をモニタ値（４）として保持するとともに、局発光のパワーの下げに伴って信号品質が劣化したときのモニタ値（５）を保持する。
【００３９】
光伝送装置Ａの全体制御部７は、信号品質が劣化すると、ステップＳＴ９でビット誤り率ＢＥＲが測定されたときの局発光のパワーを基準にして、局発光のパワーを所定値だけ上げる指示を局発光／送信光制御部８に出力する。
この実施の形態１では、局発光のパワーを下げる場合の下げ幅と、局発光のパワーを上げる場合の上げ幅とが同一であることを想定している。
局発光／送信光制御部８は、全体制御部７の指示の下、局発光源３により発振される局発光のパワーを所定値だけ上げる変更を行う（ステップＳＴ１３）。
光伝送装置Ａのコヒーレント受信部４は、局発光／送信光制御部８が局発光のパワーを上げる変更を行うと、対向側の光伝送装置Ｂから送信された信号光と、局発光源３により発振されたパワー変更後の局発光とを干渉させることで当該信号光を復調し、復調後の信号光を電気信号に変換してデジタル信号処理部５に出力する。
【００４０】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（６）として保持する（ステップＳＴ１４）。
【００４１】
光伝送装置Ａの全体制御部７は、保持しているモニタ値（４）とモニタ値（６）を比較することで、局発光のパワーを上げることに伴って信号品質が劣化しているか否かを確認する（ステップＳＴ１５）。
全体制御部７は、信号品質が劣化していなければ、ステップＳＴ１３の処理に戻り、局発光のパワーを更に上げる指示を局発光／送信光制御部８に出力する。このとき、全体制御部７は、そのモニタ値（６）をモニタ値（４）として保持する。
光伝送装置Ａのコヒーレント受信部４は、局発光／送信光制御部８が局発光のパワーを更に上げる変更を行うと、対向側の光伝送装置Ｂから送信された信号光と、局発光源３により発振されたパワー変更後の局発光とを干渉させることで当該信号光を復調し、復調後の信号光を電気信号に変換してデジタル信号処理部５に出力する。
【００４２】
デジタル信号処理部５は、コヒーレント受信部４により変換された電気信号を受けると、その電気信号に対して同様のデジタル信号処理を実施することで、その電気信号からデータ信号を抽出する。
ＢＥＲモニタ部６は、デジタル信号処理部５がデータ信号を抽出すると、そのデータ信号の信号品質として、そのデータ信号のビット誤り率ＢＥＲを測定し、そのビット誤り率ＢＥＲを全体制御部７に出力する。
全体制御部７は、ＢＥＲモニタ部６から出力されたビット誤り率ＢＥＲを取得し、そのビット誤り率ＢＥＲをモニタ値（６）として保持する（ステップＳＴ１４）。
【００４３】
光伝送装置Ａの全体制御部７は、保持しているモニタ値（４）とモニタ値（６）を比較することで、局発光のパワーを更に上げることに伴って信号品質が劣化しているか否かを確認する（ステップＳＴ１５）。
全体制御部７は、信号品質が劣化していなければ、ステップＳＴ１３の処理に戻り、局発光のパワーを更に上げる指示を局発光／送信光制御部８に出力する。
したがって、局発光のパワーの上げに伴って信号品質が劣化するまで、ステップＳＴ１３〜ＳＴ１５の処理が繰り返し実施される。
【００４４】
光伝送装置Ａの全体制御部７は、信号品質が劣化すると、パワーの下げに伴って信号品質が劣化したときのモニタ値であるモニタ値（５）が測定されたときのパワー（以下、「パワーＤ」と称する）と、パワーの上げに伴って信号品質が劣化したときのモニタ値であるモニタ値（６）が測定されたときのパワー（以下、「パワーＥ」と称する）とを用いて、適正な局発光のパワーＦに決定する。
例えば、下記の式（２）によって、適正な局発光のパワーＦを計算するが、式（２）の計算結果が小数点を含む場合には小数点以下を切り捨てるようにする。あるいは小数点以下を四捨五入するようにする。
Ｆ＝（Ｄ＋Ｅ）／２               （２）
光伝送装置Ａの局発光／送信光制御部８は、全体制御部７により決定されたパワーＦを局発光源３により発振される局発光のパワーに設定する（ステップＳＴ１６）。
【００４５】
以上で明らかなように、この実施の形態１によれば、局発光を発振する局発光源３と、対向側の光伝送装置Ｂから送信された信号光を受信し、その信号光と局発光源３により発振された局発光を干渉させることで当該信号光を復調し、復調後の信号光を電気信号に変換するコヒーレント受信部４と、コヒーレント受信部４により変換された電気信号に対する分散補償処理や誤り訂正処理などのデジタル信号処理を実施することで、その電気信号からデータ信号を抽出するデジタル信号処理部５と、デジタル信号処理部５により抽出されたデータ信号の信号品質として、そのデータ信号のビット誤り率ＢＥＲを測定するＢＥＲモニタ部６とを設け、局発光／送信光制御部８が、全体制御部７の指示の下、ＢＥＲモニタ部６により測定される信号品質が高まるように、局発光源３により発振される局発光の波長及びパワーを調整するように構成したので、信号光の高精度な受信性能を実現することができる効果を奏する。
なお、局発光源３により発振される局発光の波長及びパワーを制御する際、対向側の光伝送装置Ｂから送信された信号光（受信信号光）の波長が変化すると、局発光源３の波長が、その受信信号光の波長に追従して最適値に調整されるため、その受信信号光の波長を意図的にずらしていけば、局発光源３側の波長も、その受信信号光の変化に追従して波長が変化していき、最適値に調整される。
【００４６】
この実施の形態１では、全体制御部７が、局発光／送信光制御部８による局発光の波長及びパワーの調整処理を常時有効にするか、外部から手動調整指示を受けたときにだけ有効にするかを設定することができる。
局発光の波長及びパワーの調整処理を常時有効する設定がなされた場合は、図２Ａ及び図２Ｂのフローチャートに示す処理が繰り返し実施される。
一方、外部から手動調整指示を受けたときにだけ有効にする設定がなされた場合は、外部から手動調整指示を受けたときにだけ、図２Ａ及び図２Ｂのフローチャートに示す処理が実施される。
【００４７】
実施の形態２．
図３はこの発明の実施の形態２による光伝送装置を示す構成図であり、図において、図１と同一符号は同一または相当部分を示すので説明を省略する。
図３では、光伝送装置Ａと光伝送装置Ｂが対向して、互いに信号光を送受信する例を示しており、光伝送装置Ａと光伝送装置Ｂは同様の構成である。
なお、光伝送装置Ａ，Ｂが自装置内の局発光の波長及びパワーを調整する際の処理内容は上記実施の形態１と同様である。
この実施の形態２では、光伝送装置Ａ，Ｂが自装置内の送信光の波長を調整する機能を備えている。
【００４８】
デジタル信号処理部１１は例えばＣＰＵを実装している半導体集積回路、あるいは、ワンチップマイコンなどから構成されており、図１のデジタル信号処理部５と同様に、コヒーレント受信部４により変換された電気信号に対する分散補償処理や誤り訂正処理などのデジタル信号処理を実施することで、その電気信号からデータ信号（受信データ信号）を抽出する一方、入力されたデータ信号（送信データ信号）を光信号に変換して変調部２に出力する処理を実施する。
また、デジタル信号処理部１１はＢＥＲモニタ部６により測定されたビット誤り率ＢＥＲ（信号品質）を示す信号品質情報をデータ信号（送信データ信号）として光信号に変換して変調部２に出力することで、その信号品質情報である送信データ信号を対向側の光伝送装置に送信させる処理を実施する。なお、デジタル信号処理部１１はデータ信号抽出手段を構成している。
【００４９】
対向ＢＥＲモニタ部１２は例えばＣＰＵを実装している半導体集積回路、あるいは、ワンチップマイコンなどから構成されており、デジタル信号処理部１１により抽出された受信データ信号が信号品質情報であれば、その信号品質情報を全体制御部１３に出力する処理を実施する。
なお、デジタル信号処理部１１及び対向ＢＥＲモニタ部１２から信号品質情報送受信手段が構成されている。
【００５０】
全体制御部１３は例えばＣＰＵを実装している半導体集積回路、あるいは、ワンチップマイコンなどから構成されており、図１の全体制御部７と同様に、ＢＥＲモニタ部６により測定されたビット誤り率ＢＥＲに基づいて局発光／送信光制御部８を制御する処理を実施する。
また、全体制御部１３は対向ＢＥＲモニタ部１２から出力された信号品質情報に基づいて局発光／送信光制御部８を制御する処理を実施する。
また、全体制御部１３は局発光／送信光制御部８による局発光の波長・パワーの調整処理及び送信光の波長の調整処理を常時有効にするか、外部から手動調整指示を受けたときにだけ有効にするかを設定する処理を実施する。なお、全体制御部１３は局発光調整処理設定手段及び送信光調整処理設定手段を構成している。
【００５１】
局発光／送信光制御部１４は例えばＣＰＵを実装している半導体集積回路、あるいは、ワンチップマイコンなどから構成されており、図１の局発光／送信光制御部８と同様に、全体制御部１３の制御の下、送信光源１により発振される送信光の波長を設定するとともに、ＢＥＲモニタ部６により測定されたビット誤り率ＢＥＲが減少（信号品質が向上）するように、局発光源３により発振される局発光の波長及びパワーを調整する処理を実施する。
また、対向ＢＥＲモニタ部１２から出力された信号品質情報が示すビット誤り率ＢＥＲが減少（信号品質が向上）するように、送信光源１により発振される送信光の波長を調整する処理を実施する。
なお、全体制御部１３及び局発光／送信光制御部１４から局発光調整手段及び送信光調整手段が構成されている。
【００５２】
波長分岐挿入多重部２１は光伝送装置Ａから出力された送信信号光と、図示せぬ光伝送装置（光伝送装置Ａ，Ｂ以外の光伝送装置）から出力された送信信号光とを多重化して、多重信号光を伝送路に出力する一方、伝送路から多重信号光を受けると、その多重信号光を分離して、光伝送装置Ｂから出力された信号光である受信信号光を光伝送装置Ａのコヒーレント受信部４に出力する処理を実施する。
波長分岐挿入多重部２２は光伝送装置Ｂから出力された送信信号光と、図示せぬ光伝送装置（光伝送装置Ａ，Ｂ以外の光伝送装置）から出力された送信信号光とを多重化して、多重信号光を伝送路に出力する一方、伝送路から多重信号光を受けると、その多重信号光を分離して、光伝送装置Ａから出力された信号光である受信信号光を光伝送装置Ｂのコヒーレント受信部４に出力する処理を実施する。なお、波長分岐挿入多重部２１，２２は波長分岐挿入多重手段を構成している。
【００５３】
波長分岐挿入多重部２１の全体制御部２１ａは光伝送装置Ａの局発光／送信光制御部１４が全体制御部１３の指示の下で、送信光源１の波長を変化させると、光伝送装置Ａから送信された信号光の通過を許可するフィルタ波長をフィルタ制御部２１ｂに指示するとともに、光伝送装置Ｂから送信された信号光の通過を許可するフィルタ波長をフィルタ制御部２１ｂに指示する処理を実施する。
フィルタ制御部２１ｂは全体制御部２１ａの指示の下、フィルタ２１ｃ，２１ｄのフィルタ波長を変化させる処理を実施する。
フィルタ２１ｃは光伝送装置Ａから出力された送信信号光と、図示せぬ光伝送装置（光伝送装置Ａ，Ｂ以外の光伝送装置）から出力された送信信号光とを多重化し、その多重信号光の波長がフィルタ制御部２１ｂにより制御されたフィルタ波長内であれば、その多重信号光を伝送路に出力する。
フィルタ２１ｄは伝送路から多重信号光を受けると、その多重信号光を分離し、分離した信号光の波長がフィルタ制御部２１ｂにより制御されたフィルタ波長内であれば、その信号光を光伝送装置Ａ及び図示せぬ光伝送装置（光伝送装置Ａ，Ｂ以外の光伝送装置）に出力する。
【００５４】
波長分岐挿入多重部２２の全体制御部２２ａは光伝送装置Ｂの局発光／送信光制御部１４が全体制御部１３の指示の下で、送信光源１の波長を変化させると、光伝送装置Ｂから送信された信号光の通過を許可するフィルタ波長をフィルタ制御部２２ｂに指示するとともに、光伝送装置Ａから送信された信号光の通過を許可するフィルタ波長をフィルタ制御部２２ｂに指示する処理を実施する。
フィルタ制御部２２ｂは全体制御部２２ａの指示の下、フィルタ２２ｃ，２２ｄのフィルタ波長を変化させる処理を実施する。
フィルタ２２ｃは光伝送装置Ｂから出力された送信信号光と、図示せぬ光伝送装置（光伝送装置Ａ，Ｂ以外の光伝送装置）から出力された送信信号光とを多重化し、その多重信号光の波長がフィルタ制御部２２ｂにより制御されたフィルタ波長内であれば、その多重信号光を伝送路に出力する。
フィルタ２２ｄは伝送路から多重信号光を受けると、その多重信号光を分離し、分離した信号光の波長がフィルタ制御部２２ｂにより制御されたフィルタ波長内であれば、その信号光を光伝送装置Ｂ及び図示せぬ光伝送装置（光伝送装置Ａ，Ｂ以外の光伝送装置）に出力する。
【００５５】
図３の例では、光伝送装置の構成要素である送信光源１、変調部２、局発光源３、コヒーレント受信部４、デジタル信号処理部１１、ＢＥＲモニタ部６、対向ＢＥＲモニタ部１２、全体制御部１３及び局発光／送信光制御部１４のそれぞれが専用のハードウェアで構成されているものを想定しているが、光伝送装置の全部又は一部がコンピュータで構成されていてもよい。
例えば、光伝送装置の一部（例えば、デジタル信号処理部１１、ＢＥＲモニタ部６、対向ＢＥＲモニタ部１２、全体制御部１３及び局発光／送信光制御部１４）をコンピュータで構成する場合、デジタル信号処理部１１、ＢＥＲモニタ部６、対向ＢＥＲモニタ部１２、全体制御部１３及び局発光／送信光制御部１４の処理内容を記述しているプログラムをコンピュータのメモリに格納し、当該コンピュータのＣＰＵが当該メモリに格納されているプログラムを実行するようにすればよい。
図４はこの発明の実施の形態２による光伝送装置の全体制御部１３及び局発光／送信光制御部１４の処理内容（光伝送制御方法）を示すフローチャートである。
【００５６】
次に動作について説明する。
局発光の波長及びパワーを調整する際の処理内容は上記実施の形態１と同様であるため、ここでは、送信光源１により発振される送信光の波長を調整する際の処理内容を説明する。
なお、光伝送装置Ａと光伝送装置Ｂの処理内容は同様であるため、ここでは、光伝送装置Ａにおいて、送信光の波長を調整する際の処理内容を説明する。
【００５７】
光伝送装置Ａの変調部２は、デジタル信号処理部１１からデータ信号を受けると、送信光源１により発振された送信光を当該データ信号によって変調し、変調後の送信光である信号光を光伝送装置Ｂに送信する（波長分岐挿入多重部２１、伝送路、波長分岐挿入多重部２２を介して、送信信号光を光伝送装置Ｂに送信する）。
光伝送装置Ｂのコヒーレント受信部４は、光伝送装置Ａから送信された信号光を受信すると、その信号光と局発光源３により発振された局発光（局発光／送信光制御部１４により設定された波長の局発光）を干渉させることで当該信号光を復調し、復調後の信号光を電気信号に変換してデジタル信号処理部１１に出力する。
【００５８】
光伝送装置Ｂのデジタル信号処理部１１は、コヒーレント受信部４により変換された電気信号を受けると、その電気信号に対する分散補償処理や誤り訂正処理などのデジタル信号処理を実施することで、その電気信号からデータ信号（光伝送装置Ａのデジタル信号処理部１１から出力されたデータ信号）を抽出する。
光伝送装置ＢのＢＥＲモニタ部６は、デジタル信号処理部１１がデータ信号を抽出すると、そのデータ信号の信号品質として、そのデータ信号のビット誤り率ＢＥＲを測定し、そのビット誤り率ＢＥＲを全体制御部１３及びデジタル信号処理部１１に出力する。
ここでは、ＢＥＲモニタ部６がデータ信号の信号品質として、そのデータ信号の符号誤り率であるビット誤り率を測定するものを示すが、データ信号の信号品質として、そのデータ信号の符号誤り数であるビット誤り数を測定するようにしてもよい。
全体制御部１３は、ＢＥＲモニタ部６からビット誤り率ＢＥＲを受けると、上記実施の形態１と同様に、局発光の波長及びパワーを調整することが可能であるが、上述したように、局発光の波長及びパワーを調整する際の処理内容の説明は省略する。
【００５９】
光伝送装置Ｂのデジタル信号処理部１１は、ＢＥＲモニタ部６からビット誤り率ＢＥＲを受けると、そのビット誤り率ＢＥＲを示す信号品質情報をデータ信号（送信データ信号）として光信号に変換し、その光信号を変調部２に出力する。
光伝送装置Ｂの変調部２は、デジタル信号処理部１１から光信号であるデータ信号を受けると、送信光源１により発振された送信光を当該データ信号によって変調し、変調後の送信光である信号光を光伝送装置Ａに送信する（波長分岐挿入多重部２２、伝送路、波長分岐挿入多重部２１を介して、送信信号光を光伝送装置Ａに送信する）。
【００６０】
光伝送装置Ａのコヒーレント受信部４は、光伝送装置Ｂから送信された信号光を受信すると、その信号光と局発光源３により発振された局発光（局発光／送信光制御部１４により設定された波長の局発光）を干渉させることで当該信号光を復調し、復調後の信号光を電気信号に変換してデジタル信号処理部１１に出力する。
光伝送装置Ａのデジタル信号処理部１１は、コヒーレント受信部４により変換された電気信号を受けると、その電気信号に対する分散補償処理や誤り訂正処理などのデジタル信号処理を実施することで、その電気信号からデータ信号（光伝送装置Ｂのデジタル信号処理部１１から出力されたデータ信号）を抽出する。
【００６１】
光伝送装置Ａの対向ＢＥＲモニタ部１２は、デジタル信号処理部１１により抽出された受信データ信号が信号品質情報であれば、その信号品質情報を全体制御部１３に出力する。
光伝送装置Ａの全体制御部１３は、対向ＢＥＲモニタ部１２から出力された信号品質情報を取得し、その信号品質情報が示すビット誤り率ＢＥＲ（光伝送装置Ｂでのビット誤り率ＢＥＲ）をモニタ値（Ｂ１）として保持する（ステップＳＴ３１）。
【００６２】
光伝送装置Ａの全体制御部１３は、適正な送信光の波長を探索するために、送信光の波長を短波側に微変更する指示を局発光／送信光制御部１４に出力する。この波長の微変更は、予め用意されている複数の波長間の間隔より小さな変更を意味する。
光伝送装置Ａの局発光／送信光制御部１４は、全体制御部１３の指示の下、送信光源１により発振される送信光の波長を短波側に微変更する（ステップＳＴ３２）。
光伝送装置Ａのデジタル信号処理部１１は、局発光／送信光制御部１４が送信光の波長を短波側に微変更すると、入力されたデータ信号（送信データ信号）を光信号に変換して変調部２に出力する。
光伝送装置Ａの変調部２は、デジタル信号処理部１１からデータ信号を受けると、送信光源１により発振された波長微変更後の送信光を当該データ信号によって変調し、変調後の送信光である信号光を光伝送装置Ｂに送信する。
光伝送装置Ｂのコヒーレント受信部４は、光伝送装置Ａから送信された信号光を受信すると、その信号光と局発光源３により発振された局発光を干渉させることで当該信号光を復調し、復調後の信号光を電気信号に変換してデジタル信号処理部１１に出力する。
【００６３】
光伝送装置Ｂのデジタル信号処理部１１は、コヒーレント受信部４により変換された電気信号を受けると、その電気信号に対して同様のデジタル信号処理を実施することで、その電気信号からデータ信号（光伝送装置Ａのデジタル信号処理部１１から出力されたデータ信号）を抽出する。
光伝送装置ＢのＢＥＲモニタ部６は、デジタル信号処理部１１がデータ信号を抽出すると、そのデータ信号の信号品質として、そのデータ信号のビット誤り率ＢＥＲを測定し、そのビット誤り率ＢＥＲを全体制御部１３及びデジタル信号処理部１１に出力する。
【００６４】
光伝送装置Ｂのデジタル信号処理部１１は、ＢＥＲモニタ部６からビット誤り率ＢＥＲを受けると、そのビット誤り率ＢＥＲを示す信号品質情報をデータ信号（送信データ信号）として光信号に変換し、その光信号を変調部２に出力する。
光伝送装置Ｂの変調部２は、デジタル信号処理部１１から光信号であるデータ信号を受けると、送信光源１により発振された送信光を当該データ信号によって変調し、変調後の送信光である信号光を光伝送装置Ａに送信する。
【００６５】
光伝送装置Ａのコヒーレント受信部４は、光伝送装置Ｂから送信された信号光を受信すると、その信号光と局発光源３により発振された局発光を干渉させることで当該信号光を復調し、復調後の信号光を電気信号に変換してデジタル信号処理部１１に出力する。
光伝送装置Ａのデジタル信号処理部１１は、コヒーレント受信部４により変換された電気信号を受けると、その電気信号に対して同様のデジタル信号処理を実施することで、その電気信号からデータ信号（光伝送装置Ｂのデジタル信号処理部１１から出力されたデータ信号）を抽出する。
【００６６】
光伝送装置Ａの対向ＢＥＲモニタ部１２は、デジタル信号処理部１１により抽出された受信データ信号が信号品質情報であれば、その信号品質情報を全体制御部１３に出力する。
光伝送装置Ａの全体制御部１３は、対向ＢＥＲモニタ部１２から出力された信号品質情報を取得し、その信号品質情報が示すビット誤り率ＢＥＲ（光伝送装置Ｂでのビット誤り率ＢＥＲ）をモニタ値（Ｂ２）として保持する（ステップＳＴ３３）。
【００６７】
光伝送装置Ａの全体制御部１３は、保持しているモニタ値（Ｂ１）とモニタ値（Ｂ２）を比較することで、送信光の波長を短波側に微変更することに伴って信号品質が劣化しているか否かを確認する（ステップＳＴ３４）。
全体制御部１３は、信号品質が劣化していなければ、ステップＳＴ３２の処理に戻り、送信光の波長を更に短波側に微変更する指示を局発光／送信光制御部１４に出力する。このとき、全体制御部１３は、そのモニタ値（Ｂ２）をモニタ値（Ｂ１）として保持する。
光伝送装置Ａの局発光／送信光制御部１４は、全体制御部１３の指示の下、送信光源１により発振される送信光の波長を更に短波側に微変更する（ステップＳＴ３２）。
【００６８】
光伝送装置Ａのデジタル信号処理部１１は、局発光／送信光制御部１４が送信光の波長を更に短波側に微変更すると、入力されたデータ信号（送信データ信号）を光信号に変換して変調部２に出力する。
光伝送装置Ａの変調部２は、デジタル信号処理部１１からデータ信号を受けると、送信光源１により発振された波長微変更後の送信光を当該データ信号によって変調し、変調後の送信光である信号光を光伝送装置Ｂに送信する。
光伝送装置Ｂのコヒーレント受信部４は、光伝送装置Ａから送信された信号光を受信すると、その信号光と局発光源３により発振された局発光を干渉させることで当該信号光を復調し、復調後の信号光を電気信号に変換してデジタル信号処理部１１に出力する。
【００６９】
光伝送装置Ｂのデジタル信号処理部１１は、コヒーレント受信部４により変換された電気信号を受けると、その電気信号に対して同様のデジタル信号処理を実施することで、その電気信号からデータ信号（光伝送装置Ａのデジタル信号処理部１１から出力されたデータ信号）を抽出する。
光伝送装置ＢのＢＥＲモニタ部６は、デジタル信号処理部１１がデータ信号を抽出すると、そのデータ信号の信号品質として、そのデータ信号のビット誤り率ＢＥＲを測定し、そのビット誤り率ＢＥＲを全体制御部１３及びデジタル信号処理部１１に出力する。
【００７０】
光伝送装置Ｂのデジタル信号処理部１１は、ＢＥＲモニタ部６からビット誤り率ＢＥＲを受けると、そのビット誤り率ＢＥＲを示す信号品質情報をデータ信号（送信データ信号）として光信号に変換し、その光信号を変調部２に出力する。
光伝送装置Ｂの変調部２は、デジタル信号処理部１１から光信号であるデータ信号を受けると、送信光源１により発振された送信光を当該データ信号によって変調し、変調後の送信光である信号光を光伝送装置Ａに送信する。
【００７１】
光伝送装置Ａのコヒーレント受信部４は、光伝送装置Ｂから送信された信号光を受信すると、その信号光と局発光源３により発振された局発光を干渉させることで当該信号光を復調し、復調後の信号光を電気信号に変換してデジタル信号処理部１１に出力する。
光伝送装置Ａのデジタル信号処理部１１は、コヒーレント受信部４により変換された電気信号を受けると、その電気信号に対して同様のデジタル信号処理を実施することで、その電気信号からデータ信号（光伝送装置Ｂのデジタル信号処理部１１から出力されたデータ信号）を抽出する。
【００７２】
光伝送装置Ａの対向ＢＥＲモニタ部１２は、デジタル信号処理部１１により抽出された受信データ信号が信号品質情報であれば、その信号品質情報を全体制御部１３に出力する。
光伝送装置Ａの全体制御部１３は、対向ＢＥＲモニタ部１２から出力された信号品質情報を取得し、その信号品質情報が示すビット誤り率ＢＥＲ（光伝送装置Ｂでのビット誤り率ＢＥＲ）をモニタ値（Ｂ２）として保持する（ステップＳＴ３３）。
【００７３】
光伝送装置Ａの全体制御部１３は、保持しているモニタ値（Ｂ１）とモニタ値（Ｂ２）を比較することで、送信光の波長を更に短波側に微変更することに伴って信号品質が劣化しているか否かを確認する（ステップＳＴ３４）。
全体制御部１３は、信号品質が劣化していなければ、ステップＳＴ３２の処理に戻り、送信光の波長を更に短波側に微変更する指示を局発光／送信光制御部１４に出力する。
したがって、波長の微変更に伴って信号品質が劣化するまで、ステップＳＴ３２〜ＳＴ３４の処理が繰り返し実施される。
全体制御部１３は、信号品質が劣化すると、送信光の波長を短波側に微変更する前の波長のときに取得した信号品質情報が示すビット誤り率ＢＥＲ（ステップＳＴ３１で取得した信号品質情報が示すビット誤り率ＢＥＲ）をモニタ値（Ｂ１）として保持するとともに、短波長側への微変更に伴って信号品質が劣化したときのモニタ値（Ｂ２）を保持する。
【００７４】
光伝送装置Ａの全体制御部１３は、信号品質が劣化すると、ステップＳＴ３１でビット誤り率ＢＥＲが取得されたときの送信光の波長を基準にして、送信光の波長を長波側に微変更する指示を局発光／送信光制御部１４に出力する。この波長の微変更は、予め用意されている複数の波長間の間隔より小さな変更を意味する。
この実施の形態２では、送信光の波長を長波側に微変更する場合の変更幅と、送信光の波長を短波側に微変更する場合の変更幅とが同一であることを想定している。
光伝送装置Ａの局発光／送信光制御部１４は、全体制御部１３の指示の下、送信光源１により発振される送信光の波長を長波側に微変更する（ステップＳＴ３５）。
【００７５】
光伝送装置Ａのデジタル信号処理部１１は、局発光／送信光制御部１４が送信光の波長を長波側に微変更すると、入力されたデータ信号（送信データ信号）を光信号に変換して変調部２に出力する。
光伝送装置Ａの変調部２は、デジタル信号処理部１１からデータ信号を受けると、送信光源１により発振された波長微変更後の送信光を当該データ信号によって変調し、変調後の送信光である信号光を光伝送装置Ｂに送信する。
光伝送装置Ｂのコヒーレント受信部４は、光伝送装置Ａから送信された信号光を受信すると、その信号光と局発光源３により発振された局発光を干渉させることで当該信号光を復調し、復調後の信号光を電気信号に変換してデジタル信号処理部１１に出力する。
【００７６】
光伝送装置Ｂのデジタル信号処理部１１は、コヒーレント受信部４により変換された電気信号を受けると、その電気信号に対して同様のデジタル信号処理を実施することで、その電気信号からデータ信号（光伝送装置Ａのデジタル信号処理部１１から出力されたデータ信号）を抽出する。
光伝送装置ＢのＢＥＲモニタ部６は、デジタル信号処理部１１がデータ信号を抽出すると、そのデータ信号の信号品質として、そのデータ信号のビット誤り率ＢＥＲを測定し、そのビット誤り率ＢＥＲを全体制御部１３及びデジタル信号処理部１１に出力する。
【００７７】
光伝送装置Ｂのデジタル信号処理部１１は、ＢＥＲモニタ部６からビット誤り率ＢＥＲを受けると、そのビット誤り率ＢＥＲを示す信号品質情報をデータ信号（送信データ信号）として光信号に変換し、その光信号を変調部２に出力する。
光伝送装置Ｂの変調部２は、デジタル信号処理部１１から光信号であるデータ信号を受けると、送信光源１により発振された送信光を当該データ信号によって変調し、変調後の送信光である信号光を光伝送装置Ａに送信する。
【００７８】
光伝送装置Ａのコヒーレント受信部４は、光伝送装置Ｂから送信された信号光を受信すると、その信号光と局発光源３により発振された局発光を干渉させることで当該信号光を復調し、復調後の信号光を電気信号に変換してデジタル信号処理部１１に出力する。
光伝送装置Ａのデジタル信号処理部１１は、コヒーレント受信部４により変換された電気信号を受けると、その電気信号に対して同様のデジタル信号処理を実施することで、その電気信号からデータ信号（光伝送装置Ｂのデジタル信号処理部１１から出力されたデータ信号）を抽出する。
【００７９】
光伝送装置Ａの対向ＢＥＲモニタ部１２は、デジタル信号処理部１１により抽出された受信データ信号が信号品質情報であれば、その信号品質情報を全体制御部１３に出力する。
光伝送装置Ａの全体制御部１３は、対向ＢＥＲモニタ部１２から出力された信号品質情報を取得し、その信号品質情報が示すビット誤り率ＢＥＲ（光伝送装置Ｂでのビット誤り率ＢＥＲ）をモニタ値（Ｂ３）として保持する（ステップＳＴ３６）。
【００８０】
光伝送装置Ａの全体制御部１３は、保持しているモニタ値（Ｂ１）とモニタ値（Ｂ３）を比較することで、送信光の波長を長波側に微変更することに伴って信号品質が劣化しているか否かを確認する（ステップＳＴ３７）。
全体制御部１３は、信号品質が劣化していなければ、ステップＳＴ３５の処理に戻り、送信光の波長を更に長波側に微変更する指示を局発光／送信光制御部１４に出力する。このとき、全体制御部１３は、そのモニタ値（Ｂ３）をモニタ値（Ｂ１）として保持する。
光伝送装置Ａの局発光／送信光制御部１４は、全体制御部１３の指示の下、送信光源１により発振される送信光の波長を更に長波側に微変更する（ステップＳＴ３５）。
【００８１】
光伝送装置Ａのデジタル信号処理部１１は、局発光／送信光制御部１４が送信光の波長を更に長波側に微変更すると、入力されたデータ信号（送信データ信号）を光信号に変換して変調部２に出力する。
光伝送装置Ａの変調部２は、デジタル信号処理部１１からデータ信号を受けると、送信光源１により発振された波長微変更後の送信光を当該データ信号によって変調し、変調後の送信光である信号光を光伝送装置Ｂに送信する。
光伝送装置Ｂのコヒーレント受信部４は、光伝送装置Ａから送信された信号光を受信すると、その信号光と局発光源３により発振された局発光を干渉させることで当該信号光を復調し、復調後の信号光を電気信号に変換してデジタル信号処理部１１に出力する。
【００８２】
光伝送装置Ｂのデジタル信号処理部１１は、コヒーレント受信部４により変換された電気信号を受けると、その電気信号に対して同様のデジタル信号処理を実施することで、その電気信号からデータ信号（光伝送装置Ａのデジタル信号処理部１１から出力されたデータ信号）を抽出する。
光伝送装置ＢのＢＥＲモニタ部６は、デジタル信号処理部１１がデータ信号を抽出すると、そのデータ信号の信号品質として、そのデータ信号のビット誤り率ＢＥＲを測定し、そのビット誤り率ＢＥＲを全体制御部１３及びデジタル信号処理部１１に出力する。
【００８３】
光伝送装置Ｂのデジタル信号処理部１１は、ＢＥＲモニタ部６からビット誤り率ＢＥＲを受けると、そのビット誤り率ＢＥＲを示す信号品質情報をデータ信号（送信データ信号）として光信号に変換し、その光信号を変調部２に出力する。
光伝送装置Ｂの変調部２は、デジタル信号処理部１１から光信号であるデータ信号を受けると、送信光源１により発振された送信光を当該データ信号によって変調し、変調後の送信光である信号光を光伝送装置Ａに送信する。
【００８４】
光伝送装置Ａのコヒーレント受信部４は、光伝送装置Ｂから送信された信号光を受信すると、その信号光と局発光源３により発振された局発光を干渉させることで当該信号光を復調し、復調後の信号光を電気信号に変換してデジタル信号処理部１１に出力する。
光伝送装置Ａのデジタル信号処理部１１は、コヒーレント受信部４により変換された電気信号を受けると、その電気信号に対して同様のデジタル信号処理を実施することで、その電気信号からデータ信号（光伝送装置Ｂのデジタル信号処理部１１から出力されたデータ信号）を抽出する。
【００８５】
光伝送装置Ａの対向ＢＥＲモニタ部１２は、デジタル信号処理部１１により抽出された受信データ信号が信号品質情報であれば、その信号品質情報を全体制御部１３に出力する。
光伝送装置Ａの全体制御部１３は、対向ＢＥＲモニタ部１２から出力された信号品質情報を取得し、その信号品質情報が示すビット誤り率ＢＥＲ（光伝送装置Ｂでのビット誤り率ＢＥＲ）をモニタ値（Ｂ３）として保持する（ステップＳＴ３６）。
【００８６】
光伝送装置Ａの全体制御部１３は、保持しているモニタ値（Ｂ１）とモニタ値（Ｂ３）を比較することで、送信光の波長を更に長波側に微変更することに伴って信号品質が劣化しているか否かを確認する（ステップＳＴ３７）。
全体制御部１３は、信号品質が劣化していなければ、ステップＳＴ３５の処理に戻り、送信光の波長を更に長波側に微変更する指示を局発光／送信光制御部１４に出力する。
したがって、波長の微変更に伴って信号品質が劣化するまで、ステップＳＴ３５〜ＳＴ３７の処理が繰り返し実施される。
【００８７】
光伝送装置Ａの全体制御部１３は、信号品質が劣化すると、短波長側への微変更に伴って信号品質が劣化したときのモニタ値であるモニタ値（Ｂ２）が測定されたときの波長（以下、「波長Ｇ」と称する）と、長波長側への微変更に伴って信号品質が劣化したときのモニタ値であるモニタ値（Ｂ３）が測定されたときの波長（以下、「波長Ｈ」と称する）とを用いて、適正な局発光の波長Ｉに決定する。
例えば、下記の式（３）によって、適正な局発光の波長Ｉを計算するが、式（３）の計算結果が小数点を含む場合には小数点以下を切り捨てるようにする。あるいは小数点以下を四捨五入するようにする。
Ｉ＝（Ｇ＋Ｈ）／２                   （３）
光伝送装置Ａの局発光／送信光制御部１４は、全体制御部１３により決定された波長Ｉを送信光源１により発振される送信光の波長に設定する（ステップＳＴ３８）。
【００８８】
ここでは、光伝送装置Ａの局発光／送信光制御部１４が、全体制御部１３の指示の下、送信光源１により発振される送信光の波長を短波側又は長波長側に微変更するものを示したが、波長分岐挿入多重部２１の全体制御部２１ａは、局発光／送信光制御部１４が、全体制御部１３の指示の下、送信光源１の波長を変化させると、光伝送装置Ａから送信された信号光の通過を許可するフィルタ波長をフィルタ制御部２１ｂに指示するとともに、光伝送装置Ｂから送信された信号光の通過を許可するフィルタ波長をフィルタ制御部２１ｂに指示する。
例えば、送信光源１により発振される送信光の波長を短波側に微変更された場合、波長微変更後の送信光の変調信号光（送信信号光）がフィルタ２１ｃを通過できるように、フィルタ２１ｃのフィルタ波長を短波側に微変更する。
また、送信光源１により発振される送信光の波長を長波側に微変更された場合、波長微変更後の送信光の変調信号光（送信信号光）がフィルタ２１ｃを通過できるように、フィルタ２１ｃのフィルタ波長を長波側に微変更する。
【００８９】
また、光伝送装置Ｂにおける局発光の波長及びパワーの調整処理が常時有効である場合、光伝送装置Ｂにおける局発光が常に受信信号光にロックしている状態（光伝送装置Ｂにおける局発光が受信信号光に対して常に最適な波長になっている状態）になるので、光伝送装置Ａにおいて、例えば、送信光源１により発振される送信光の波長を短波側に微変更した場合、光伝送装置Ｂにおける局発光の波長が、光伝送装置Ａから送信された送信光の波長（＝光伝送装置Ｂにおける受信信号光の波長）と一致するようになる。そのため、光伝送装置Ｂにおいて、送信光の波長を調整する処理を実施していなくても、光伝送装置Ｂから光伝送装置Ａに送信される信号光の波長も短波側に微変更される。
【００９０】
そこで、波長分岐挿入多重部２１の全体制御部２１ａは、光伝送装置Ａの送信光源１により発振される送信光の波長が短波側に微変更された場合、光伝送装置Ｂから送信された変調信号光（受信信号光）がフィルタ２１ｄを通過できるように、フィルタ２１ｄのフィルタ波長を短波側に微変更する。
一方、光伝送装置Ａの送信光源１により発振される送信光の波長が長波側に微変更された場合、光伝送装置Ｂから送信された変調信号光（受信信号光）がフィルタ２１ｄを通過できるように、フィルタ２１ｄのフィルタ波長を長波側に微変更する。
これにより、信号断を伴うことなく、送信光の波長を変化させることができるため、波長デフラグが可能になる。
【００９１】
図３には記述していないが、光伝送装置Ａと光伝送装置Ｂの間に中継局が存在している場合には、送信光源１により発振される送信光の波長が短波側に微変更されれば、その中継局のフィルタのフィルタ波長も短波側に微変更し、送信光源１により発振される送信光の波長が長波側に微変更されれば、その中継局のフィルタのフィルタ波長も長波側に微変更する。
なお、この実施の形態２の場合、中継局のフィルタに対するフィルタ波長の変更指令は、光伝送装置Ａの全体制御部１３が出力する。
【００９２】
以上で明らかなように、この実施の形態２によれば、局発光／送信光制御部１４が、全体制御部１３の制御の下、対向ＢＥＲモニタ部１２から出力された信号品質情報が示すビット誤り率ＢＥＲが減少（信号品質が向上）するように、送信光源１により発振される送信光の波長を調整するように構成したので、上記実施の形態１と同様に、信号光の高精度な受信性能を実現することができる効果を奏する。
【００９３】
実施の形態３．
上記実施の形態２では、送信光源１と局発光源３を搭載している光伝送装置Ａ，Ｂについて示したが、１つの光源により発振される光を送信光及び局発光として用いるようにしてもよい。
図５はこの発明の実施の形態３による光伝送装置を示す構成図であり、図において、図３と同一符号は同一または相当部分を示すので説明を省略する。
光波長制御部３１は例えばＣＰＵを実装している半導体集積回路、あるいは、ワンチップマイコンなどから構成されており、全体制御部１３の制御の下、送受信光源３２により発振される送受信光の波長を設定するとともに、ＢＥＲモニタ部６により測定されたビット誤り率ＢＥＲ及び対向ＢＥＲモニタ部１２から出力された信号品質情報（対向側の光伝送装置から送信された信号品質情報）が示すビット誤り率ＢＥＲが減少（信号品質が向上）するように、送受信光源３２により発振される送受信光の波長を調整する処理を実施する。
なお、全体制御部１３及び光波長制御部３１から局発光調整手段及び送信光調整手段が構成されている。
【００９４】
送受信光源３２は送受信光を発振する光源である。
カプラ３３は送受信光源３２により発振された送受信光を分岐し、一方の光を送信光として変調部２に出力し、他方の光を局発光としてコヒーレント受信部４に出力する光分岐器である。
【００９５】
図５の例では、光伝送装置の構成要素である変調部２、コヒーレント受信部４、デジタル信号処理部１１、ＢＥＲモニタ部６、対向ＢＥＲモニタ部１２、全体制御部１３、光波長制御部３１、送受信光源３２及びカプラ３３のそれぞれが専用のハードウェアで構成されているものを想定しているが、光伝送装置の全部又は一部がコンピュータで構成されていてもよい。
例えば、光伝送装置の一部（例えば、デジタル信号処理部１１、ＢＥＲモニタ部６、対向ＢＥＲモニタ部１２、全体制御部１３及び光波長制御部３１）をコンピュータで構成する場合、デジタル信号処理部１１、ＢＥＲモニタ部６、対向ＢＥＲモニタ部１２、全体制御部１３及び光波長制御部３１の処理内容を記述しているプログラムをコンピュータのメモリに格納し、当該コンピュータのＣＰＵが当該メモリに格納されているプログラムを実行するようにすればよい。
図６はこの発明の実施の形態３による光伝送装置の全体制御部１３及び光波長制御部３１の処理内容（光伝送制御方法）を示すフローチャートである。
【００９６】
次に動作について説明する。
この実施の形態３では、送受信光源３２により発振された送受信光を送信光として用いるとともに、その送受信光を局発光として用いるようにしている。
このため、送信光の波長を変化させると、局発光の波長まで変化することになる。そのため、例えば、光伝送装置Ａにおいて、波長の調整処理を実施する際には、光伝送装置Ｂでは、波長の調整処理を実施しないようにする。
即ち、いずれか一方の光伝送装置だけが波長の調整処理を実施するようにする。
【００９７】
この実施の形態３では、光伝送装置Ｂがビット誤り率ＢＥＲを測定し、そのビット誤り率ＢＥＲを示す信号品質情報を光伝送装置Ａに送信する処理、光伝送装置Ａの対向ＢＥＲモニタ部１２が光伝送装置Ｂから送信された送信データ信号が信号品質情報であれば、その信号品質情報を全体制御部１３に出力する処理や、光伝送装置ＡのＢＥＲモニタ部６がビット誤り率ＢＥＲを測定する処理などは、上記実施の形態２と同様であるため詳細な説明を省略する。
【００９８】
光伝送装置Ａの全体制御部１３は、送受信光源３２により発振される送受信光の波長を短波長側に微変更する指示を光波長制御部３１に出力する。
光伝送装置Ａの光波長制御部３１は、全体制御部１３から送受信光の波長を短波長側に微変更する指示を受けると、送受信光の波長を短波長側に微変更する処理を繰り返し実施する（ステップＳＴ５１）。
即ち、光波長制御部３１は、予め設定されている回数だけ、送受信光の波長を短波長側に微変更する処理を繰り返し、送受信光の波長を短波長側に微変更する毎に、波長微変更後の送受信光を発振する。
光伝送装置Ａのカプラ３３は、送受信光源３２により発振された送受信光を分岐し、一方の光を送信光として変調部２に出力し、他方の光を局発光としてコヒーレント受信部４に出力する。
【００９９】
光伝送装置ＡのＢＥＲモニタ部６は、光波長制御部３１が送受信光の波長を短波長側に微変更する毎に、デジタル信号処理部１１により抽出されたデータ信号の信号品質として、そのデータ信号のビット誤り率ＢＥＲを測定し、そのビット誤り率ＢＥＲを全体制御部１３及びデジタル信号処理部１１に出力する。
光伝送装置Ａの対向ＢＥＲモニタ部１２は、光波長制御部３１が送受信光の波長を短波長側に微変更する毎に、デジタル信号処理部１１により抽出されたデータ信号が信号品質情報であれば、その信号品質情報を全体制御部１３に出力する。
光伝送装置Ａの全体制御部１３は、光波長制御部３１が送受信光の波長を短波長側に微変更する毎に、ＢＥＲモニタ部６から出力されたビット誤り率ＢＥＲと、対向ＢＥＲモニタ部１２から出力された信号品質情報とを取得して、そのビット誤り率ＢＥＲと信号品質情報を保存する（ステップＳＴ５２）。
例えば、送受信光の波長を短波長側に微変更する回数がＮ回に設定されている場合、Ｎ個のビット誤り率ＢＥＲとＮ個の信号品質情報を保存する。
【０１００】
次に、光伝送装置Ａの全体制御部１３は、送受信光の波長を短波長側に微変更する前の波長を基準にして、送受信光源３２により発振される送受信光の波長を長波長側に微変更する指示を光波長制御部３１に出力する。
光伝送装置Ａの光波長制御部３１は、全体制御部１３から送受信光の波長を長波長側に微変更する指示を受けると、送受信光の波長を長波長側に微変更する処理を繰り返し実施する（ステップＳＴ５３）。
即ち、光波長制御部３１は、予め設定されている回数だけ、送受信光の波長を長波長側に微変更する処理を繰り返し、送受信光の波長を長波長側に微変更する毎に、波長微変更後の送受信光を発振する。
光伝送装置Ａのカプラ３３は、送受信光源３２により発振された送受信光を分岐し、一方の光を送信光として変調部２に出力し、他方の光を局発光としてコヒーレント受信部４に出力する。
【０１０１】
光伝送装置ＡのＢＥＲモニタ部６は、光波長制御部３１が送受信光の波長を長波長側に微変更する毎に、デジタル信号処理部１１により抽出されたデータ信号の信号品質として、そのデータ信号のビット誤り率ＢＥＲを測定し、そのビット誤り率ＢＥＲを全体制御部１３及びデジタル信号処理部１１に出力する。
光伝送装置Ａの対向ＢＥＲモニタ部１２は、光波長制御部３１が送受信光の波長を長波長側に微変更する毎に、デジタル信号処理部１１により抽出されたデータ信号が信号品質情報であれば、その信号品質情報を全体制御部１３に出力する。
光伝送装置Ａの全体制御部１３は、光波長制御部３１が送受信光の波長を長波長側に微変更する毎に、ＢＥＲモニタ部６から出力されたビット誤り率ＢＥＲと、対向ＢＥＲモニタ部１２から出力された信号品質情報とを取得して、そのビット誤り率ＢＥＲと信号品質情報を保存する（ステップＳＴ５４）。
例えば、送受信光の波長を長波長側に微変更する回数がＭ回に設定されている場合、Ｍ個のビット誤り率ＢＥＲとＭ個の信号品質情報を保存する。ただし、Ｍ＝Ｎでもよいし、Ｍ≠Ｎでもよい
【０１０２】
光伝送装置Ａの全体制御部１３は、（Ｎ＋Ｍ）個のビット誤り率ＢＥＲを保存すると、（Ｎ＋Ｍ）個のビット誤り率ＢＥＲの中で、最小のビット誤り率ＢＥＲmin1を特定し、最小のビット誤り率ＢＥＲmin1が測定されたときの送受信光の波長λ1を特定する。
また、全体制御部１３は、（Ｎ＋Ｍ）個の信号品質情報を保存すると、（Ｎ＋Ｍ）個の信号品質情報が示すビット誤り率ＢＥＲの中で、最小のビット誤り率ＢＥＲmin2を特定し、最小のビット誤り率ＢＥＲmin2が測定されたときの送受信光の波長λ2を特定する。
【０１０３】
光伝送装置Ａの全体制御部１３は、送受信光の波長λ1，λ2を特定すると、送受信光の波長λ1と送受信光の波長λ2の中間の値（例えば、波長λ1と波長λ2の平均値）を送受信光の最適な波長に決定する。
光伝送装置Ａの光波長制御部３１は、全体制御部１３により決定された波長を送受信光源３２により発振される送受信光の波長に設定する（ステップＳＴ５５）。
【０１０４】
以上で明らかなように、この実施の形態３によれば、光波長制御部３１が、全体制御部１３の制御の下、ＢＥＲモニタ部６により測定されたビット誤り率ＢＥＲ及び対向ＢＥＲモニタ部１２から出力された信号品質情報（対向側の光伝送装置から送信された信号品質情報）が示すビット誤り率ＢＥＲが減少（信号品質が向上）するように、送受信光源３２により発振される送受信光の波長を調整するように構成したので、上記実施の形態１と同様に、信号光の高精度な受信性能を実現することができる効果を奏する。
【０１０５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０６】
１  送信光源、２  変調部（光変調手段）、３  局発光源、４  コヒーレント受信部（コヒーレント受信手段）、５  デジタル信号処理部（データ信号抽出手段）、６  ＢＥＲモニタ部（品質測定手段）、７  全体制御部（局発光調整処理設定手段、局発光調整手段）、８  局発光／送信光制御部（局発光調整手段）、１１  デジタル信号処理部（データ信号抽出手段、信号品質情報送受信手段）１２  対向ＢＥＲモニタ部（信号品質情報送受信手段）、１３  全体制御部（局発光調整処理設定手段、送信光調整処理設定手段、局発光調整手段、送信光調整手段）、１４  局発光／送信光制御部（局発光調整手段、送信光調整手段）、２１，２２  波長分岐挿入多重部（波長分岐挿入多重手段）、２１ａ，２２ａ  全体制御部、２１ｂ，２２ｂ  フィルタ制御部、２１ｃ，２１ｄ，２２ｃ，２２ｄ  フィルタ、３１  光波長制御部（局発光調整手段、送信光調整手段）、３２  送受信光源、３３  カプラ。
【図１】
2015170916.tif 000003
【図２Ａ】
2015170916.tif 000004
【図２Ｂ】
2015170916.tif 000005
【図３】
2015170916.tif 000006
【図４】
2015170916.tif 000007
【図５】
2015170916.tif 000008
【図６】
2015170916.tif 000009